(57)【特許請求の範囲】
【請求項１】
上板（１）と下板（２）からなり、前記上板（１）の長手方向中央より、左右どちらか一方へ寄っており、かつ、挟み込み間口から前記長手方向中央まで設けられた上板切り込み溝（３）と、該溝を斜めに折返した上板斜め折返し切り込み溝（４）とを具備したボタンホルダー（Ａ）の上面に、ボタンを取付けるためのボタン台座とリード糸（９）とを一体化した車輪軸状の仮ボタン台座（Ｂ）、または、イミテーションボタン（１１）とリード糸（９）とを一体化した車輪軸状の代用ボタン台座（Ｃ）を、取り付け、一体化したことを特徴とするワンタッチボタンホルダー。
【請求項２】
ボタンホルダー（Ａ）の上下の差込口の上板を下板より短くし、夫々の先端部分を外側に湾曲させ、更に先端の挟み込み部分に上下交互のかみ合わせ溝を設けた請求項１のボタンホルダー。
【発明の詳細な説明】
【技術分野】
【０００１】    本発明は取れたボタンを簡単に仮付けし、急場の応急処置に役立つ「取付け方製造方法」を性質の違う素材の組み合わせと力学の応用組合せの技術により解決したワンタッシボタン取付けに関するものである。
【背景技術】
【０００２】ホルダー式で仮ボタンや代用ボタンをワンタッチで取付けられるものが無かった。
従来にある生地を鋲で刺して固定するものとは全く発想が違うものである。
【発明の開示】
【発明が解決しようとする課題】
【０００３】Ｙシャツの袖口や襟のボタンが取れたとき、裁縫セット無しに簡単に仮ボタンや代用ボタンを取付けることが出来なかった。
（イ）ボタンが取れてそのとれたボタンをワンタッチで仮付けしたいとき、または（ロ）ボタンを破損・紛失して代用ボタンを付けたいときに
（イ）ボタンと糸を使って縫い付ける方法、（ロ）生地に穴をあけて固定する方法は裁縫セットの常時持ち合わせと裁縫技術が必要であり、簡単には取付けられないし、片や生地を傷める恐れがある。
本発明はこの問題を解決するためになされたものである。
【課題を解決するための手段】
【０００４】ボタンがとれたとき、ボタンがあっても裁縫セットと取付け技術が必要である。
本発明は以上の問題をボタンホルダーを生地に挟み込むことで解決し、誰にでも簡単にボタンを取付けられるようにしたものである。【０００５】仮ボタン台座（Ｂ）、又は代用ボタン台座（Ｃ）をボタンホルダー（Ａ）に取付ける。ボタンホルダー（Ａ）は上板（１）と下板（２）は折り曲げ部分（６）で連絡され、（６）の部分はホルダーのバネとして機能させる。【０００６】上板（１）と下板（２）の生地挟み込み先端部分には上下とも噛み合せの溝（スベリ留め）を設ける。上下板の先端部分は々外側に湾曲させ、下板は上板より長くし生地を挟み込み易くする。【０００７】上板（１）に挟み込み間口に対し中央より左右どちらかへ数ミリ寄った溝（切り込み）をボタンホルダーの折り曲げ部分に向かって縦に中心までい入れる。【０００８】更にその溝を中心より幅の広い方へ斜めに折返し中央で止め、終点を少し大きくする。
折返し溝を設けることによりホルダーがバネ方向に引張られたとき、外れにくくなる。【０００９】「仮ボタン台座（Ｂ）」はリード糸（９）と一体化した車輪軸（断面から見ると「エ」の形）でボタンホルダー（Ａ）に取付ける。「仮ボタン台座（Ｂ）」にボタン穴用の突起（７）を２ケ又は４ケ付ける。【００１０】「代用ボタン台座（Ｃ）」は車輪軸と一体の素材で［０００９］の上述「仮ボタン台座（Ｂ）のボタン穴用突起の代わりに代用ボタンを付ける。
本発明はボタンホルダー（Ａ）とボタン台座（Ｂ／Ｃ）の合体によりワンタッチで仮ボタン及び代用ボタンを取付けることが出来るボタンホルダーである。
【発明を実施するための裁量の形態】
【００１１】以下、本発明の実施の形態を説明する。
本発明の３点セット、即ちボタンホルダー（Ａ）と仮ボタン台座（Ｂ）及び代用ボタン台座（Ｃ）を携帯することによって常時使用できる。
【００１２】図１ａに示すようにボタンホルダー（Ａ）は硬質樹脂、又は金属等を使用し、ホルダーの上板（１）と下板（２）は折り曲げ部分（６）で連結され、（６）の部分はホルダーのバネとして機能する。
【００１３】上述上板（１）と下板（２）の生地挟み込先端部分は上下とも噛み合せの溝（スベリ止め）（１０）を設け挟んだ生地をズレないように固定させる。
【００１４】上板（１）と下板（２）の先端部分は夫々外側に湾曲させ下板を上板より長くすることにより挟み込みを簡易にする。
【００１５】図２に示すように上板（１）に挟み込み間口に対し中央より左右どちらかへ数ミリ寄った溝（切り込み）（３）をホルダーの折り曲げ部分に向かって縦に中心まで入れ生地を更に挟み込み易くする。
【００１６】更にその溝を中心より幅の広い方へ斜めに折返し（４）中央で止め、終点（５）を少し大きくする。折り返し溝（４）を設けることによりホルダーがバネ方向に引張られたとき、外れない。
【００１７】「仮ボタン台座（Ｂ）」は図１ｂに示すリード糸（９）と一体化した車輪軸（断面からみると「エの形）でボタンホルダー（Ａ）の上板溝後尾（５）に填め込む。
【００１８】図３ｂに示すように仮ボタン台座（Ｂ）の上面のボタン穴用の突起（７）を２ケ又は４ケ付けボタンを填める。
【００１９】上記突起（７）の先端部を多少大きくし中央に縦に割目を設けることによりバネ力が働きボタンがしっかりとフィットするようになる。
【００２０】図４ｂに示すように代用ボタン台座（Ｃ）は上述の仮ボタン台座（Ｂ）と同様な構成であるがボタン穴用の突起（７）の代わりにイミテイションボタン（８）を予め取付けたものである。
【００２１】本発明は以上の構成よりなる。本発明品を使用する場合、取付けボタンが再使用出来るときは「仮ボタン台座（Ａ）を、ボタンが無いときは「代用ボタン台座（Ｂ）」をホルダー（Ａ）にセットし使用する。
【００２２】本発明は取れたボタンを容易に仮留め出来るので、常に身だしなみを整えて置くことに役立つものである。ホルダーの挟み口に溝を設けることで外れにくくなり、縦割りの溝を設けることで取り外しが容易になる。ボタンが破損したり紛失した場合でも安心して対応することが出来る。特に気になる袖口や襟元のボタン付けには容易に効果が発揮できる
【図面の簡単な説明】
【００２３】
【図１ａ】  本発明の斜視図
【図１ｂ】  本発明の縦長方向横側面図
【図２】  本発明の要部拡大の正面図（ボタンホルダー）
【図３ａ】  本発明の仮ボタン装着の正面図
【図３ｂ】  本発明の仮ボタンホルダー台座（Ｂ）の断面図
【図４ａ】  本発明の代用ボタン（イミテイションボタン）装着例の正面図
【図４ｂ】  本発明の代用ボタンホルダー台座（Ｃ）の断面図
【符号の説明】
【００２４】（Ａ）ボタンホルダー
１  上板
２  下板
３  上板切り込み溝
４  上板斜め折返し切り込み溝
５  溝後尾（エンド）
６  折り曲げ部分
１０  上下板噛み合せ溝（スベリ止め）
（Ｂ）「仮ボタン台座」
（Ｃ）「代用ボタン台座」
７  ボタン台座の突起
８  イミテイションボタン（仮ボタン）
９  リード糸
【図１ａ】
0004134333.tif 000002
【図１ｂ】
0004134333.tif 000003
【図２】
0004134333.tif 000004
【図３ａ】
0004134333.tif 000005
【図３ｂ】
0004134333.tif 000006
【図４ａ】
0004134333.tif 000007
【図４ｂ】
0004134333.tif 000008